(57)【要約】      （修正有）【課題】長期間使用しても、振動により固定リングが緩んで落下してしまうことのない長さ調節機構付きステッキを提供する。【解決手段】一方の端部にねじ部１ａを形成している第１筒１と、外径が第１筒１の内径よりも小さく第１筒１の一方の端部から第１筒１の内部にその一部を挿入している第２筒２と、を備えている長さ調節機構付きステッキにおいて、第１筒１に設けられているねじ部１ａに対して、グリップ側から石突き側に向かって固定リング５を螺合させる。【選択図】図２
0003197019.tif 000002
【実用新案登録請求の範囲】
【請求項１】
一方の端部にねじ部を形成している第１筒と、
外径が前記第１筒の内径よりも小さく前記第１筒の一方の端部から該第１筒の内部にその一部を挿入している第２筒と、
前記ねじ部と螺合することで前記第１筒と前記第２筒とを互いに固定する固定リングと、を有していて、
前記固定リングは、グリップ側から石突き側の方向に螺合させられることを特徴とする長さ調節機構付きステッキ。
【請求項２】
前記第１筒には、複数の孔が形成されていて、
前記第２筒には、径方向外側に付勢されているピンが取り付けられていて、
前記ピンと前記複数の孔のいずれかと嵌合させることで長さ調節が可能になることを特徴とする請求項１に記載の長さ調節機構付きステッキ。
【考案の詳細な説明】
【技術分野】
【０００１】
本考案は、長さ調節機構付きステッキに関する。
【背景技術】
【０００２】
従来、歩行の補助に用いるためのステッキとして、長さ調節機構を備えたステッキが知られている。
【０００３】
長さ調節を可能にするための機構としては、ばねで付勢されているピンを有する径の細い筒と複数の孔を有する径の太い筒を重ね、いずれかの孔にピンを嵌合させることでステッキを適切な長さとする機構が知られている。このような長さ調節機構を備えたステッキの一例が特許文献１に開示されている。
【０００４】
特許文献１に記載の伸縮自在ステッキは、径の太い丸パイプ１１と、該丸パイプ１１より径の細い丸パイプ１２とを固定するために、丸パイプ１２に設けられているピン４２を、丸パイプ１１に所定の感覚で形成されている小孔４１に嵌合させている。そして、ピン４２と小孔４１との嵌合に加え、更に、丸パイプ１１の端部に形成されているネジ機構に対して、小筒体５０を螺合させて強く締め付けることにより、ピン４２が小孔４１から脱落することを防止している（段落［００１７］〜［００２３］及び［図１］等を参照）。
【先行技術文献】
【特許文献】
【０００５】
【特許文献１】特開２００４−３４４４５４号公報
【考案の概要】
【考案が解決しようとする課題】
【０００６】
特許文献１に記載の伸縮自在ステッキは、ピン４２の脱落防止のために小筒体５０（以下、固定リングと呼ぶ）を用いて丸パイプ１１を締め付けている。しかし、この固定リングは、ステッキに対して下方向から上向きに取り付けられている。そのため、ステッキを使用していると、振動により固定リングの締め付けが緩んでしまい、丸パイプ１１から落下してしまうことがある。上記のように、長さ調節機構はピンと孔の嵌合に加えて固定リングによる締め付けで固定しているため、固定リングが外れた状態でステッキを使用していると、ピンと孔の嵌合が脱落する可能性があり大変危険であるという問題があった。
【０００７】
本考案は、このような問題を解決するためになされたものであり、その目的とするところは、長期間使用しても、振動により固定リングが緩んで落下してしまうことのない長さ調節機構付きステッキを提供することである。
【課題を解決するための手段】
【０００８】
上記の目的を達成するために、本考案の長さ調節機構付きステッキは、一方の端部にねじ部を形成している第１筒と、外径が前記第１筒の内径よりも小さく前記第１筒の一方の端部から該第１筒の内部にその一部を挿入している第２筒と、前記ねじ部と螺合することで前記第１筒と前記第２筒とを互いに固定する固定リングと、を有していて、前記固定リングは、グリップ側から石突き側の方向に螺合させられる。
【０００９】
その場合、前記第１筒には、複数の孔が形成されていて、前記第２筒には、径方向外側に付勢されているピンが取り付けられていて、前記ピンと前記複数の孔のいずれかと嵌合させることで長さ調節が可能になるように構成すると好適である。
【考案の効果】
【００１０】
本考案によれば、長期間使用しても、振動により固定リングが緩んで落下してしまうことのなく、安心して使用することができる長さ調節機構付きステッキを得ることが可能になる。
【図面の簡単な説明】
【００１１】
【図１】本考案の実施例１を示す全体図である。
【図２】本考案の実施例１の要部断面図である。
【図３】本考案の実施例２を示す全体図である。
【考案を実施するための形態】
【００１２】
本考案を実施するための形態を、図面を用いて詳細に説明する。
【００１３】
まず、図１，図２を用いて本考案の実施例１の説明をする。
実施例１
本考案の長さ調節機構付きステッキは、ゴム製の石突きＦを取り付けている第１筒１と、グリップＧを取り付けている第２筒２からなっている。この第１筒１は、その内径が第２筒２の外径よりもわずかに大きく、一方の端部から第２筒２の一部を内部に挿入している。
【００１４】
第１筒１には、石突きＦが取り付けられている側とは反対側の端部の外周部に、ねじ部１ａが形成されている。また、第１筒１には、ねじ部１ａの近傍に、複数の孔１ｂが形成されている。これらの複数の孔１ｂは、後述するピン３の外径よりわずかに大きい径として形成されている。
【００１５】
第２筒２には、グリップＧが取り付けられている側とは反対側の端部近傍に、孔２ａが形成されている。第２筒２の孔２ａには、内部から外側に向けてピン３が取り付けられている。ピン３は、ばね４により外側に向けて付勢されている。
【００１６】
第２筒２には、固定リング５が挿通されている。この固定リング５の内部には、第１筒１のねじ部１ａと螺合するねじ部が形成されている。また、第１筒１と第２筒２との隙間には、合成樹脂製の充填部材６が配置されている。固定リング５をねじ部１ａと螺合させていくと、固定リング５が充填部材６を第１筒１と第２筒２との隙間へ押し込み、第１筒１と第２筒２との隙間を塞いで密着させる。
【００１７】
次に、図１，２を用いて、本考案の長さ調節機構付きステッキの使用方法の説明をする。ステッキの使用状態においては、ピン３は第２筒２の孔２ａを通して、第１筒１の複数の孔１ｂのいずれか一つに挿入されている。そして、固定リング５は、第１筒１のねじ部１ａに螺合していて、充填部材６を介して第１筒１と第２筒２との隙間を塞いで密着させることで、第１筒１と第２筒２とがガタのないように固定している。
【００１８】
この状態から、ステッキの長さを調節するときには、まず固定リング５と第１筒１のねじ部１ａとの螺合を外す。その後に、ピン３を第２筒２の内部に押し込むことで第１筒１の孔１ｂとの嵌合を解除する。そして、ピン３を第１筒１の複数の孔１ｂのうち所望の箇所に挿入する。最後に、固定リング５と第１筒１のねじ部１ａとを螺合させ、第１筒１と第２筒２とを互いに固定する。
【００１９】
次に、本考案の長さ調節機構付きステッキの効果の説明をする。本考案の長さ調節機構付きステッキは、使用する際に、径の大きい第１筒１が径の小さい第２筒２よりも石突き側に配置されている。そして、第１筒１のねじ部１ａと螺合する固定リング５は、第２筒２側から第１筒１側に向かって螺合させられている。
【００２０】
従来用いられてきたステッキは、特許文献１に記載のステッキのように、径の小さい筒が系の大きい筒よりも石突き側に配置されていた。そのため、使用を重ねていくと、固定リングの螺合が緩んで外れてしまい、上側の筒から落下してしまうという問題があった。このようなことが起こると、筒同士の固定がピンと孔との嵌合だけになってしまい、脱落しやすくなってしまうため大変危険である。また、ピンの径と孔の径との差や、筒同士の内径・外径の差から使用時にガタつきが生じるという問題もあった。
【００２１】
しかし、本考案の長さ調節機構付きステッキは、上記のように、固定リング５が第２筒２側から第１筒１側に向かって、換言すれば石突き側に向かって螺合させられている。このように構成したことにより、ステッキを使用する際に石突きで地面を突いても、固定リング５がねじ部１ａを締め付ける方向に衝撃が加わっていくため、固定リング５が緩むことはなく、固定リング５が落下する心配もない。
【００２２】
次に、図３を用いて本考案の実施例２の説明をする。
実施例２
本実施例では、本考案に係る長さ調整機構付きステッキを、折り畳み式ステッキとして構成している。また、実施例１では長さ調整機構を石突きＦの近傍に配置していたが、本実施例では長さ調整機構をグリップＧの近傍に配置している。
【００２３】
本実施例の長さ調節機構付きステッキは、グリップＧを取り付けている第２筒８と、第２筒８の一部を内部に挿入している第１筒７と、第１筒７と接合する第３筒９と、第３筒９と接合する第４筒１０と、ゴム製の石突きＦを取り付けていて第４筒１０と接合する第５筒１１とからなっている。これらの各筒のうち、第２筒８，第３筒９，第４筒１０，第５筒１１は同じ大きさの外径を有していて、第１筒７は他の筒の外径よりもわずかに大きい内径を有している。そして、第２筒８の内部には弾性を有する紐部材の一端が取り付けられていて、各筒の内部を通して第５筒１１の内部に他端が取り付けられている。
【００２４】
第１筒７には、第２筒８が挿入されている方の端部に、ねじ部が形成されている。また、第１筒７には、ねじ部の近傍から第１筒７の他方の端部近傍にわたって、複数の孔７ａが形成されている。これらの複数の孔７ａは、後述するピン１２の外径よりわずかに大きい径として形成されている。
【００２５】
第２筒８には、グリップＧを取り付けている側とは反対側の端部近傍に、図示していない孔が形成されている。そして、この第２筒８の孔には、実施例１と同様に、内側から外側に向けてピン１２が取り付けられていて、該ピン１２は図示していないばねにより外側に向けて付勢されている。
【００２６】
第２筒８には、固定リング１４が挿通されている。この固定リング１４の内部には、第１筒７のねじ部と螺合するねじ部が形成されている。また、第１筒７と第２筒８との隙間には、図示していない合成樹脂製の充填部材が配置されている。そして、実施例１の場合と同様に、固定リング１４を第１筒７のねじ部と螺合させると、第１筒７と第２筒８とがガタのないように固定される。
【００２７】
このように構成された本実施例の長さ調節機構付きステッキは、実施例１と同様に、固定リング１４が第２筒８側から第１筒７側に向かって、換言すれば石突き側に向かって螺合させられている。そのため、ステッキを使用する際に石突きで地面を突いても、固定リング１４が第１筒７のねじ部を締め付ける方向に衝撃が加わっていくため、固定リング１４が緩むことはなく、固定リング１４が落下する心配もない。
【００２８】
本実施例では、長さ調節機構が、グリップＧの近傍に配置されている。そのため、ステッキを使用しながらでも長さ調節を行いやすいという利点がある。しかし、長さ調節機構を配置する場所は、実施例１のように、石突きＦの近傍であってもよい。
【符号の説明】
【００２９】
１，７    第１筒
２，８    第２筒
３，１２  ピン
４        ばね
５，１４  固定リング
６        充填部材
９        第３筒
１０      第４筒
１１      第５筒
Ｇ        グリップ
Ｆ        石突き
【図１】
0003197019.tif 000003
【図２】
0003197019.tif 000004
【図３】
0003197019.tif 000005